(57)【要約】【課題】  撮像装置のカメラケース構造において、撮像装置および照明灯等、種々のアクセサリに対応して一部構造部品を交換することのみで、同じカメラケースに取付けることができる構造を提供する。【解決手段】  カメラケース側面に断面がキノコ形の突起を設け、この突起の溝に合せた断面がハット形またはコ字形の支持具を差込みビス等で固定する。この支持具に撮像装置及びアクセサリを固定することにより、支持具を簡単に取付けできる構造とした。【選択図】  図１
2005172887.tif 000002
【特許請求の範囲】
【請求項１】
カメラケースにおいて、上記カメラケースの側面に断面がキノコ形の突起を設け、該突起の溝に嵌合する断面がハット形又はコ字形の支持具を設け、アクセサリが変わっても一部の支持具を交換することのみで取付けできる構造としたことを特徴とするカメラケース構造。
【請求項２】
カメラケースにおいて、上記カメラケースの内側及び外側側面に、断面がキノコ形の突起を設け、該突起の溝に嵌合する断面がハット形又はコ字形の支持具を設けた構造としたことを特徴とするカメラケース構造。
【発明の詳細な説明】
【技術分野】
【０００１】
本発明は、撮像装置のカメラケースの構造に関するものである。
【背景技術】
【０００２】
従来、撮像装置、特に監視用撮像装置に使用する照明灯その他の付属部品は、例えば、図３に示すように、カメラケースと雲台の間に支持板を設けて取付けていた（特許文献１参照）。1 は CCD カメラ等の撮像装置を収納しているカメラケース、2 は撮像装置の視野方向前面に位置するカメラケース 1 の前面ガラス、3 はカメラケース 1 の背面板、7 は撮像装置の視野範囲を照明する照明灯、8 はスピーカ／マイク等の照明灯以外のアクセサリ、12 は支持台、11 は支持台 12 をパンまたはチルトする雲台である。
図３において、支持台 11 上にカメラケース 1 、アクセサリ（照明灯 7 、及び照明灯 7以外のアクセサリ 8 ）が取付けられ、それらは雲台11 の動きに従って旋回する。
【０００３】
【特許文献１】特開２００２−３６９０４６号公報
【発明の開示】
【発明が解決しようとする課題】
【０００４】
前述の従来技術では、図３のようなアクセサリを取付ける時、大形の支持板を設ける必要があった。従って、アクセサリの数が多いと支持板が大きくなる欠点があった。また、アクセサリの数が変更になるとその都度支持板の変更または改造が必要な欠点があった。
本発明の目的は、上記のような欠点を除去するために、アクセサリの数や種類が変わっても簡単に変更できるカメラケース構造を提供することにある。
【課題を解決するための手段】
【０００５】
上記の目的を達成するために、本発明のカメラケース構造は、カメラケースの側面に断面がキノコ形の突起を設け、この突起の溝に合せた断面がハット形又はコ字形の支持具を設け、撮像装置またはアクセサリが変わっても一部の支持具を交換することのみで取付けできる構造のカメラケースとしたものである。
また本発明のカメラケース構造は、カメラケースの側面に断面がキノコ形の突起を設け、その突起の溝に嵌合する断面がハット形又はコ字形の支持具を設け、撮像装置またはアクセサリが変わっても一部の支持具を交換することのみで取付けできる構造としたものである。
また本発明のカメラケース構造は、カメラケースの内側及び外側側面に、断面がキノコ形の突起を設け、突起の溝に嵌合する断面がハット形又はコ字形の支持具を設けた構造としたものである。
【発明の効果】
【０００６】
本発明のカメラケース構造によれば、照明灯等、内側または外側のアクセサリに対応して一部の支持具を交換することで簡単に取付けができる。更に、内側外側毎に支持具を統一することにより同じ構造部品で、カメラ及びアクセサリを変更することができ、部品費の低減と製作時間を短縮することができる。
【発明を実施するための最良の形態】
【０００７】
本発明のカメラケース構造は、CCD カメラ等の撮像装置を収納するカメラケース構造において、照明灯を含む種々のアクセサリの種類や形状に対応して、一部構造部品を交換することのみで、同じカメラケースに取付けることができる構造としたものである。このため、本発明のカメラケース構造は、以下に示すようにカメラケースの側面に断面がキノコ形の突起を設け、この突起の溝に合せた断面がハット形またはコ字形の支持具を設け、ビス等で固定することにより、アクセサリが変わっても一部の支持具を交換することのみで取付けできる構造としたものである。
【０００８】
以下、本発明の実施例を図１と図２によって説明する。図１は、本発明のカメラケース構造の特徴を示す断面図である。図１は、本発明の一実施例の撮像装置の光軸方向を略垂直な面で切断したカメラケースの断面図である。また図２は、図１の実施例のカメラケーシの斜視図である。
図１において、CCD カメラ等の撮像装置 6 を収納したカメラケース 1-1 の側面に断面がキノコ形の突起 1a を設け、この突起の内溝 1b に、撮像装置 6 を固定した断面がハット形の支持具4 を差込みビス 10 で固定する。
また、残りの面には、例えば、ヒータ 9 等のアクセサリを固定した上記と同等の支持具 4 を差込みビス 10 で固定する。
【０００９】
図１において、断面がキノコ形の突起 1a 、この突起の内溝 1b 、及び、断面がハット形の支持具 4 は、図２の斜視図に示すように、カメラケース 1-1 に収納される撮像装置 6 の光軸方向に略平行（紙面を略垂直に突抜ける方向）にレール状に延びている。図２において、1′はカメラケース、2′は撮像装置 6 の視野方向前面に位置するカメラケース 1′の前面ガラス、3′はカメラケース 1′の背面板、7 は撮像装置の視野範囲を照明する照明灯、8 はスピーカ／マイク等の照明灯以外のアクセサリ、11 は雲台である。
外溝 1c には、照明灯 7 等、外側のアクセサリを固定した断面がコ字形の支持具 5 を差込みビス 10 で固定する。
尚、上記実施例では、差込ビス 10 で固定したが、固定方法は着脱可能であればどんな方法でも良い。
【００１０】
図４〜図６は、本発明の他の実施例のカメラケースを示す断面図である。
1-2 ，1-3 ，1-4 は、断面が種々のキノコ形突起であるカメラケースである。
【００１１】
上記実施例の図１、図４〜７では、カメラケースのキノコ形突起がすべて同一であったが、一部が異なる種類または大きさのキノコ形突起であっても良い。
【００１２】
尚、上記実施例では、カメラケースのキノコ形突起に、撮像装置 6 やアクセサリ 8 を取付ける図を記載しているが、嵌合前の構造としては、支持具 4 または 5 がばね性があることによるもの、または支持具 4 または 5 のレール状の構造の途中に幅の狭い部分を設けて挿入する構造とする等、周知の技術で良い。
【図面の簡単な説明】
【００１３】
【図１】本発明の一実施例の撮像装置の光軸方向を略垂直な面で切断したカメラケースの断面図。
【図２】本発明の一実施例のカメラケースの斜視図。
【図３】従来例のカメラケースの側面図。
【図４】本発明の一実施例の撮像装置の光軸方向を略垂直な面で切断したカメラケースの断面図。
【図５】本発明の一実施例の撮像装置の光軸方向を略垂直な面で切断したカメラケースの断面図。
【図６】本発明の一実施例の撮像装置の光軸方向を略垂直な面で切断したカメラケースの断面図。
【符号の説明】
【００１４】
1，1′，1-1，1-2，1-3，1-4：カメラケース、  1a：キノコ形突起、  1b：内溝、  1c：外溝、  2，2′：前面ガラス、  3，3′：背面板、  4，5：支持具、  6：撮像装置、  7：照明灯、  8：アクセサリ、  9：ヒータ、  10：差込みビス、  11，11′：雲台、  12：支持台。
【図１】
2005172887.tif 000003
【図２】
2005172887.tif 000004
【図３】
2005172887.tif 000005
【図４】
2005172887.tif 000006
【図５】
2005172887.tif 000007
【図６】
2005172887.tif 000008